(57)【要約】【課題】入力画像データのフレーム間の階調値の変化量、及び、表示パネル又はその近傍若しくは周囲の温度に基づいて、入力画像データを適切に補正することができる画像処理装置、画像処理方法、及び画像表示装置を提供する。【解決手段】現フレームの１フレーム前の画像データＤｐ０を出力する１フレーム前画像データ出力部１４と、基準温度データを保持し、表示パネル温度検出信号に対応する温度データと基準温度データとの比較結果に基づく制御信号Ｔｐ１を生成する制御信号生成部１１と、各画素における階調値の時間的な変化に応じてＬＵＴから補正データを選択し、選択された補正データ及び制御信号Ｔｐ１に基づいて、現画像データＤｉ１の階調値を補正することにより補正後画像データＤｊ１を生成する画像データ補正部１０とを有し、ＬＵＴが保持する補正データのビット数は補正後画像データＤｊ１のビット数より大きい。【選択図】図１
2007139936.tif 000002
【特許請求の範囲】
【請求項１】
表示パネルの各画素の階調値を表す画像データが入力され、前記画像データを補正して補正後画像データを出力する画像処理装置であって、
現フレームの画像データが順次入力され、前記現フレームの１フレーム前の画像データに対応する１フレーム前画像データを出力する１フレーム前画像データ出力部と、
少なくとも一つの基準温度データを保持し、前記表示パネル又はその近傍若しくは周囲の温度検出信号が入力され、前記温度検出信号に対応する温度データと前記基準温度データとの比較結果に基づく制御信号を生成する制御信号生成部と、
前記各画素における階調値の時間的な変化に対応するデータテーブルを有し、前記各画素における階調値の時間的な変化に応じて前記データテーブルから補正データを選択し、この選択された補正データ及び前記制御信号に基づいて、前記現フレームの画像データの階調値を補正することにより前記補正後画像データを生成する画像データ補正部と
を有し、
前記画像データ補正部の前記データテーブルが保持する前記補正データのビット数は、前記補正後画像データのビット数より大きい
ことを特徴とする画像処理装置。
【請求項２】
前記画像データ補正部による前記現フレームの画像データの補正は、前記制御信号に基づいて前記現フレームの画像データの値を増加又は減少させる処理を含むことを特徴とする請求項１に記載の画像処理装置。
【請求項３】
前記画像データ補正部による前記現フレームの画像データの補正は、前記現フレームの画像データと前記１フレーム前画像データの大小関係に応じて異なることを特徴とする請求項１又は２のいずれかに記載の画像処理装置。
【請求項４】
前記表示パネルが液晶パネルであり、
前記画像データ補正部の前記データテーブルの前記補正データは、前記液晶パネルの液晶を１フレーム期間以内に現フレームの画像データの輝度値に対応する透過率にする電圧を示すデータを含み、且つ、前記補正後画像データの最大値より大きなデータを含む
ことを特徴とする請求項１乃至３のいずれかに記載の画像処理装置。
【請求項５】
前記表示パネルが液晶パネルであり、
前記画像データ補正部の前記データテーブルの前記補正データは、前記液晶パネルの液晶を１フレーム期間以内に現フレームの画像データの輝度値に対応する透過率にする電圧を示すデータを含み、且つ、前記補正後画像データの最小値より小さなデータを含む
ことを特徴とする請求項１乃至４のいずれかに記載の画像処理装置。
【請求項６】
前記１フレーム前画像データ出力部は、
現フレームの画像データを符号化することにより当該現フレームの画像データに対応する符号化画像データを生成する符号化部と、
前記符号化画像データを復号化することにより前記現フレームの画像データに対応する第１の復号化画像データを生成する第１の復号化部と、
前記符号化画像データを１フレームに相当する期間遅延させる遅延部と、
前記遅延部により遅延した符号化画像データを復号化することにより、前記現フレームの１フレーム前の画像データに対応する第２の復号化画像データを生成する第２の復号化部と、
前記第１の復号化画像データと前記第２の復号化画像データとの間の変化量を画素毎に算出する変化量算出部と、
前記変化量と前記現フレームの画像データとを用いて、前記現フレームの１フレーム前の画像データに対応する前記１フレーム前画像データを算出する１フレーム前画像算出部と
を有することを特徴とする請求項１乃至５のいずれかに記載の画像処理装置。
【請求項７】
前記画像データ補正部の前記データテーブルから選択される前記補正データは、現フレームの画像データ及び前記１フレーム前画像データの２つのデータに対応するデータであり、
前記画像データ補正部は、
前記データテーブルから出力される前記補正データから前記現フレームの画像データを減算して補正量を出力する減算部と、
前記制御信号生成部からの前記制御信号に基づいて前記減算部から出力される前記補正量を制御する補正量制御部と、
現フレームの画像データに、前記補正量制御部から出力される制御後の補正量を加算する加算部と、
前記加算部から出力される画像データの階調数を制限する制限部と
を有することを特徴とする請求項１乃至６のいずれかに記載の画像処理装置。
【請求項８】
前記画像データ補正部の前記データテーブルから選択される前記補正データは、現フレームの画像データ及び前記１フレーム前画像データの２つのデータに対応するデータであり、
前記画像データ補正部は、
前記制御信号生成部からの前記制御信号に基づいて前記データテーブルから出力される補正量を制御する補正量制御部と、
現フレームの画像データに、前記補正量制御部から出力される制御後の補正量を加算する加算部と、
前記加算部から出力される画像データの階調数を制限する制限部と
を有することを特徴とする請求項１乃至６のいずれかに記載の画像処理装置。
【請求項９】
画像データを出力する画像処理部と、
前記画像処理部から出力された画像データに基づく画像を表示する表示部と
を有し、
前記画像処理部は、請求項１乃至８のいずれか１項に記載の画像処理装置である
ことを特徴とする画像表示装置。
【請求項１０】
表示パネルの各画素の階調値を表す画像データが入力され、前記画像データを補正して補正後画像データを出力する画像処理方法であって、
現フレームの画像データが順次入力され、前記現フレームの１フレーム前の画像データに対応する１フレーム前画像データを出力し、
少なくとも一つの基準温度データを保持し、前記表示パネル又はその近傍若しくは周囲の温度検出信号が入力され、前記温度検出信号に対応する温度データと前記基準温度データとの比較結果に基づく制御信号を生成し、
前記各画素における階調値の時間的な変化に対応するデータテーブルから、前記各画素における階調値の時間的な変化に応じて補正データを選択し、この選択された補正データ及び前記制御信号に基づいて、前記現フレームの画像データの階調値を補正することにより前記補正後画像データを生成し、
前記データテーブルが保持する前記補正データのビット数は、前記補正後画像データのビット数より大きい
ことを特徴とする画像処理方法。
【請求項１１】
前記現フレームの画像データの補正は、前記制御信号に基づいて前記現フレームの画像データの値を増加又は減少させる処理を含むことを特徴とする請求項１０に記載の画像処理方法。
【請求項１２】
前記現フレームの画像データの補正は、前記現フレームの画像データと前記１フレーム前画像データの大小関係に応じて異なることを特徴とする請求項１０又は１１のいずれかに記載の画像処理方法。
【請求項１３】
前記表示パネルが液晶パネルであり、
前記データテーブルの前記補正データは、前記液晶パネルの液晶を１フレーム期間以内に現フレームの画像データの輝度値に対応する透過率にする電圧に対応するデータを含み、且つ、前記補正後画像データの最大値より大きなデータを含む
ことを特徴とする請求項１０乃至１２のいずれかに記載の画像処理方法。
【請求項１４】
前記表示パネルが液晶パネルであり、
前記データテーブルの前記補正データは、前記液晶パネルの液晶を１フレーム期間以内に現フレームの画像データの輝度値に対応する透過率にする電圧に対応するデータを含み、且つ、前記補正後画像データの最小値より小さなデータを含む
ことを特徴とする請求項１０乃至１３のいずれかに記載の画像処理方法。
【請求項１５】
前記１フレーム前画像データを出力する処理は、
現フレームの画像データを符号化することにより当該現フレームの画像データに対応する符号化画像データを生成し、
前記符号化画像データを復号化することにより前記現フレームの画像データに対応する第１の復号化画像データを生成し、
前記符号化画像データを１フレームに相当する期間遅延させ、
前記遅延した符号化画像データを復号化することにより、前記現フレームの１フレーム前の画像データに対応する第２の復号化画像データを生成し、
前記第１の復号化画像データと前記第２の復号化画像データとの間の変化量を画素毎に算出し、
前記変化量と前記現フレームの画像データとを用いて、前記現フレームの１フレーム前の画像データに対応する前記１フレーム前画像データを算出する
処理を含むことを特徴とする請求項１０乃至１４のいずれかに記載の画像処理方法。
【請求項１６】
前記データテーブルから選択される前記補正データは、現フレームの画像データ及び前記１フレーム前画像データの２つのデータに対応するデータであり、
前記現フレームの１フレーム前の画像データに対応する前記１フレーム前画像データを出力する処理は、
前記データテーブルから出力される前記補正データから前記現フレームの画像データを減算して補正量を出力し、
前記制御信号に基づいて前記減算によって得られた補正量を制御し、
現フレームの画像データに、前記減算によって得られた補正量を加算し、
前記加算によって得られた画像データの階調数を制限する
ことを特徴とする請求項１０乃至１５のいずれかに記載の画像処理方法。
【請求項１７】
前記データテーブルから選択される前記補正データは、現フレームの画像データ及び前記１フレーム前画像データの２つのデータに対応するデータであり、
前記現フレームの１フレーム前の画像データに対応する前記１フレーム前画像データを出力する処理は、
前記制御信号に基づいて前記データテーブルから出力される補正量を制御し、
現フレームの画像データに、前記制御後の補正量を加算し、
前記加算によって得られた画像データの階調数を制限する
ことを特徴とする請求項１０乃至１５のいずれかに記載の画像処理方法。
【発明の詳細な説明】
【技術分野】
【０００１】
本発明は、入力画像データのフレーム間の階調値の変化量、及び、表示パネル又はその近傍若しくは周囲の温度に基づいて、入力画像データを補正する画像処理装置及び画像処理方法、並びに、当該画像処理装置を含む画像表示装置に関するものである。
【背景技術】
【０００２】
一般に、液晶パネルは、駆動電圧を印加してから画像データの階調値に対応する所定の透過率に到達するまでにある程度の時間を要するので、変化の早い動画の表示に適していない。このため、フレーム間で階調値が変化するときに、１フレーム以内に液晶が画像データの階調値に対応する所定の透過率に到達するよう、液晶に過電圧を印加する駆動方法が提案されている（例えば、特許文献１参照）。具体的には、１フレーム前の画像データと現フレームの画像データとを画素毎に比較し、階調値が変化している場合は、階調値の変化量に対応する補正量を現フレームの画像データに加算する。このような駆動方法により、１フレーム前よりも階調値が増加した場合は、液晶パネルにおいて通常よりも高い駆動電圧が印加され、１フレーム前よりも階調値が減少した場合は、液晶パネルにおいて通常よりも低い駆動電圧が印加される。
【０００３】
しかし、階調値の時間変化のみに基づく補正量を用いて液晶パネルの駆動電圧を増加又は減少させた場合には、液晶パネル温度が変化したときに駆動電圧を適切に増加又は減少させることができなくなることがある。このため、液晶パネル温度が高いときに、液晶パネルに適切な電圧よりも高い駆動電圧が印加され、液晶パネル温度が低いときに、液晶パネルに適切な電圧よりも低い駆動電圧が印加されて、画質の劣化が生じる。このような問題を解決するために、ある一つの基準温度における最適な補正データをあらかじめ用意し、補正データから現フレームデータを減算することで補正量を求め、液晶パネル近傍の温度に応じた演算によってその補正量を制御（増加又は減少）し、制御後の補正量を現フレームデータに加算することで補正後画像データを求め、液晶に対して補正後画像データに基づく電圧を印加する駆動方法が提案されている（例えば、特許文献２参照）。
【０００４】
【特許文献１】特許第２６１６６５２号公報
【特許文献２】特許第３６７３２５７号公報
【発明の開示】
【発明が解決しようとする課題】
【０００５】
しかしながら、あらかじめ用意された補正データから現フレームデータを減算することで補正量を求め、液晶パネル近傍の温度に応じた演算によってその補正量を制御（増加又は減少）し、制御後の補正量を現フレームデータに加算することで補正後画像データを求める上記特許文献２に記載の駆動方法においては、補正データが液晶パネルに表示される最大階調又は最小階調である場合に、温度に応じて補正量を減少させる（例えば、後述する図１３の破線１３ｂの場合）と補正量が不足してしまい、液晶パネル近傍の温度に応じた適切な駆動電圧を液晶に印加することができない（例えば、後述する図１５の破線１５ｂの場合）という問題がある。
【０００６】
そこで、本発明は、上記従来技術の課題を解決するためになされたものであり、その目的は、入力画像データのフレーム間の階調値の変化量、及び、表示パネル又はその近傍若しくは周囲の温度に基づいて、入力画像データを適切に補正することができる画像処理装置、画像処理方法、及び画像表示装置を提供することである。
【課題を解決するための手段】
【０００７】
本発明に係る画像処理装置は、表示パネルの各画素の階調値を表す画像データが入力され、前記画像データを補正して補正後画像データを出力する画像処理装置であって、現フレームの画像データが順次入力され、前記現フレームの１フレーム前の画像データに対応する１フレーム前画像データを出力する１フレーム前画像データ出力部と、少なくとも一つの基準温度データを保持し、前記表示パネル又はその近傍若しくは周囲の温度検出信号が入力され、前記温度検出信号に対応する温度データと前記基準温度データとの比較結果に基づく制御信号を生成する制御信号生成部と、前記各画素における階調値の時間的な変化に対応するデータテーブルを有し、前記各画素における階調値の時間的な変化に応じて前記データテーブルから補正データを選択し、この選択された補正データ及び前記制御信号に基づいて、前記現フレームの画像データの階調値を補正することにより前記補正後画像データを生成する画像データ補正部とを有し、前記画像データ補正部の前記データテーブルが保持する前記補正データのビット数は、前記補正後画像データのビット数より大きいことを特徴としている。
【０００８】
また、本発明に係る画像表示装置は、画像データを出力する画像処理部と、前記画像処理部から出力された画像データに基づく画像を表示する表示部とを有し、前記画像処理部は、上記画像処理装置である。
【０００９】
また、本発明に係る画像処理方法は、表示パネルの各画素の階調値を表す画像データが入力され、前記画像データを補正して補正後画像データを出力する画像処理方法であって、現フレームの画像データが順次入力され、前記現フレームの１フレーム前の画像データに対応する１フレーム前画像データを出力し、少なくとも一つの基準温度データを保持し、前記表示パネル又はその近傍若しくは周囲の温度検出信号が入力され、前記温度検出信号に対応する温度データと前記基準温度データとの比較結果に基づく制御信号を生成し、前記各画素における階調値の時間的な変化に対応するデータテーブルから、前記各画素における階調値の時間的な変化に応じて補正データを選択し、この選択された補正データ及び前記制御信号に基づいて、前記現フレームの画像データの階調値を補正することにより前記補正後画像データを生成し、前記データテーブルが保持する前記補正データのビット数は、前記補正後画像データのビット数より大きいことを特徴としている。
【発明の効果】
【００１０】
本発明の画像処理装置、画像表示装置、及び画像処理方法によれば、補正後画像データよりもビット数の大きい補正データを有するので、理想的な補正データが補正後画像データの最大階調よりも大きい場合又は最小階調より小さい場合においても、画像データの補正を正確に行い、適切に補正された駆動電圧を表示パネルに印加することができるという効果を得ることができる。
【発明を実施するための最良の形態】
【００１１】
実施の形態１．
図１は、本発明の実施の形態１に係る画像処理装置３を備えた、画像表示装置の構成を示すブロック図である。図１に示されるように、画像表示装置は、受信部２と、画像処理装置３と、制御信号生成部１１と、表示部１２と、温度検出部１３とを主要な構成としている。なお、本出願において「…部」として示される構成は、電気回路等を含むハードウェアによって実現されるもの、又は、ソフトウェアによって実現されるもの、又は、ソフトウェアとハードウェアの組み合わせによって実現されるもののいずれであってもよい。なお、画像処理装置３は、本発明の画像処理装置を実施することができる装置である。また、図１に示される画像表示装置は、例えば、液晶テレビである。
【００１２】
受信部２は、テレビチューナ等から構成されており、入力端子１を介して入力される映像信号に対し、選局及び復調等の処理を行うことにより、１フレーム分の画像（現画像）を表す現画像データＤｉ１を生成して、画像処理装置３に順次出力する。
【００１３】
画像処理装置３は、符号化部４と、遅延部５と、第１の復号化部６と、第２の復号化部７と、変化量算出部８と、１フレーム前画像算出部９と、画像データ補正部１０とを有している。画像処理装置３は、現画像データＤｉ１に対応する３次補正後画像データＤｊ１を生成する。なお、１次補正後画像データ（図３におけるＤｋ１）及び２次補正後画像データ（図３におけるＤｎ１）については、後述する。
【００１４】
制御信号生成部１１は、少なくとも一つの基準温度Ｔ０を示す基準温度データを保持している。制御信号生成部１１は、温度検出部１３によって測定された、表示部１２の表示パネル又はその近傍若しくは周囲の温度（以下、表示パネル温度又はその近傍若しくは周囲温度を「測定温度」とも言う。）Ｔ１と、基準温度Ｔ０とを比較し、その比較結果に基づく制御信号Ｔｐ１を画像データ補正部１０へ出力する。なお、表示パネル又はその近傍若しくは周囲の温度とは、表示パネル自身の温度に限定されず、表示パネルの温度に対応する温度を含むという意味である。
【００１５】
表示部１２の表示パネルは、例えば、液晶パネルであり、画像の輝度又は濃度を表す画像データに対応する電圧を液晶に印加することにより、液晶の各画素の光透過率を変化させることによって、画像を表示する。
【００１６】
次に、画像処理装置３の動作を説明する。符号化部４は、現画像データＤｉ１を符号化することによりデータ量を圧縮し、符号化画像データＤａ１を生成する。符号化部４による符号化方式としては、例えば、ＦＢＴＣ（Ｆｉｘｅｄ  Ｂｌｏｃｋ  Ｔｒｕｎｃａｔｉｏｎ  Ｃｏｄｉｎｇ）又はＧＢＴＣ（Ｇｅｎｅｒａｌｉｚｅｄ  Ｂｌｏｃｋ  Ｔｒｕｎｃａｔｉｏｎ  Ｃｏｄｉｎｇ）などのブロック符号化（ＢＴＣ）を用いることができる。また、符号化部４における符号化方式として、ＪＰＥＧに代表される２次元離散コサイン変換符号化、ＪＰＥＧ−ＬＳに代表される予測符号化、ＪＰＥＧ２０００に代表されるウェーブレット変換を用いた符号化方式を採用することができる。また、静止画用の符号化方式であれば任意の符号化方式を採用することができる。なお、採用する静止画用の符号化方式は、符号化前の画像データと復号化後の画像データとが完全に一致しない非可逆符号化であってもよい。
【００１７】
遅延部５は、符号化部４で生成された符号化画像データＤａ１を１フレームに相当する期間遅延させることによって、１フレーム前の符号化画像データＤａ０を出力する。符号化部４における画像データＤｉ１の符号化率（データ圧縮率）を高くするほど、符号化画像データＤａ１を遅延するために必要な遅延部５のメモリ（図示せず）の記憶容量を小さくすることができる。
【００１８】
第１の復号化部６は、符号化部４で生成された符号化画像データＤａ１を復号化することにより、現画像データＤｉ１により表される現画像に対応する第１の復号化画像データＤｂ１を生成する。この処理と並行して、第２の復号化部７は、遅延部５により遅延された符号化画像データＤａ０を復号化することにより、現画像の１フレーム前の画像に対応する第２の復号化画像データＤｂ０を生成する。
【００１９】
変化量算出部８は、現画像に対応する第１の復号化画像データＤｂ１及び１フレーム前の画像に対応する第２の復号化画像データＤｂ０に基づいて、第２の復号化画像データＤｂ０から第１の復号化画像データＤｂ１を減算することにより、１フレーム前の画像から現画像への画素毎の階調値の変化量Ｄｖ１を算出する。この変化量Ｄｖ１と、現画像データＤｉ１は、１フレーム前画像算出部９に入力される。
【００２０】
１フレーム前画像算出部９は、変化量算出部８から出力される階調値の変化量Ｄｖ１を現画像データＤｉ１に加算することにより、１フレーム前の画像データに相当する１フレーム前画像データＤｐ０を生成する。１フレーム前画像データＤｐ０は、画像データ補正部１０に入力される。
【００２１】
画像データ補正部１０は、現画像データＤｉ１と１フレーム前画像データＤｐ０を比較した結果と制御信号Ｔｐ１とに基づいて、液晶パネル又はその近傍若しくは周囲温度Ｔ１において液晶が１フレーム期間内に現画像データＤｉ１により指定される所定の透過率となるよう現画像データＤｉ１を補正し、３次補正後画像データＤｊ１を出力する。
【００２２】
図２（ａ）〜（ｃ）は、３次補正後画像データＤｊ１に基づく駆動電圧を液晶に印加した場合の応答特性を示す図である。図２（ａ）は現画像データＤｉ１の階調値（輝度値）の時間変化を示し、図２（ｂ）は３次補正後画像データＤｊ１の階調値（輝度値）の時間変化を示す。また、図２（ｃ）において、実線は３次補正後画像データＤｊ１に基づく駆動電圧を印加して得られる液晶パネルの表示輝度の時間変化（すなわち、液晶パネルの応答特性）を示し、破線は、３次補正後画像データＤｊ１に基づく駆動電圧（図２（ｂ）に示されるＶＨ又はＶＬ）を印加し続けた場合における液晶パネルの応答特性を示す。図２（ｂ）に示されるように、階調値が増加又は減少する場合、補正量Ｖ１又はＶ２を現画像データＤｉ１に加算又は減算することにより、３次補正後画像データＤｊ１が生成される。この３次補正後画像データＤｊ１に基づく駆動電圧を液晶に印加することにより、図２（ｃ）に実線で示すように、略１フレーム期間内に液晶を現画像データＤｉ１の階調値に対応する所定の透過率に到達させることができる。
【００２３】
図３は、図１に示される画像データ補正部１０の構成を示すブロック図である。図３に示されるように、画像データ補正部１０は、ルックアップテーブル（ＬＵＴ）１０１と、減算部１０２と、補正量制御部１０３と、加算部１０４と、制限部１０５とを有している。ＬＵＴ１０１には、液晶パネル又はその近傍若しくは周囲の温度Ｔ１が基準温度データＴ０と等しい場合において液晶が１フレーム期間内に現画像データＤｉ１により指定される所定の透過率となるような１次補正後画像データＤｋ１が予め設定されている。
【００２４】
図４は、図３に示されるＬＵＴ１０１の構成を模式的に示す図である。ＬＵＴ１０１には、現画像データＤｉ１及び１フレーム前画像データＤｐ０が読み出しアドレスとして入力される。現画像データＤｉ１及び１フレーム前画像データＤｐ０がそれぞれ８ビットの画像データである場合、ＬＵＴ１０１には２５６×２５６個のデータが１次補正後画像データＤｋ１として格納される。ＬＵＴ１０１は、現画像データＤｉ１及び１フレーム前の画像データＤｐ０の各値に対応する画像データｄｔ（Ｄｉ１，Ｄｐ０）を読み出して、１次補正後画像データＤｋ１（＝ｄｔ（Ｄｉ１，Ｄｐ０））として出力する。
【００２５】
図３に示されるように、減算部１０２は、ＬＵＴ１０１からの１次補正後画像データＤｋ１から現画像データＤｉ１を減算することによって補正量Ｄｌ１を生成する。
【００２６】
補正量制御部１０３は、制御信号Ｔｐ１に基づいて補正量Ｄｌ１を制御（増加又は減少又はそのままに維持）させて制御信号Ｔｐ１に基づいて制御された補正量（「温度制御後補正量」とも言う。）Ｄｍ１を生成する。ここで、制御信号Ｔｐ１が、表示パネル又はその近傍若しくは周囲の温度Ｔ１が基準温度Ｔ０よりも高いことを示す信号である場合には、温度制御後補正量Ｄｍ１の絶対値｜Ｄｍ１｜が補正量Ｄｌ１の絶対値｜Ｄｌ１｜より小さくなるように制御する。また、制御信号Ｔｐ１が、表示パネル又はその近傍若しくは周囲の温度Ｔ１が基準温度Ｔ０よりも低い場合には、温度制御後補正量Ｄｍ１の絶対値｜Ｄｍ１｜が補正量Ｄｌ１の絶対値｜Ｄｌ１｜より大きくなるように制御する。その際の補正方法としては、例えば、次式
Ｄｍ１＝α×Ｄｌ１
のように、制御信号Ｔｐ１に応じた値の温度補正係数αを、補正量Ｄｌ１に乗算することで温度制御後補正量Ｄｍ１を算出する。
【００２７】
加算部１０４は、補正量制御部１０３によって得られた温度制御後補正量Ｄｍ１を、現画像データＤｉ１に対して加算することで２次補正後画像データＤｎ１を生成する。
【００２８】
制限部１０５は、２次補正後画像データＤｎ１を表示部１２が受信可能な値の範囲に制限することで３次補正後画像データＤｊ１を生成する。ここで、表示部１２が受信可能な値の範囲とは、表示部１２に対する入力データのビット数によって決定される。例えば、表示部１２に対する入力データのビット数が８ビットの場合は、表示部１２が受信可能な値の範囲は０〜２５５である。この場合、２次補正後画像データＤｎ１が０より小さい場合は、３次補正後画像データＤｊ１を０とし（すなわち、Ｄｊ１＝０）、２次補正後画像データＤｎ１が２５５より大きい場合は、３次補正後画像データＤｊ１を２５５とし（すなわち、Ｄｊ１＝２５５）、２次補正後画像データＤｎ１が０から２５５の範囲内の場合は、３次補正後画像データＤｊ１を２次補正後画像データＤｎ１と同じに（すなわち、Ｄｊ１＝Ｄｎ１）することで３次補正後画像データＤｊ１を得る。
【００２９】
次に、ＬＵＴ１０１に設定される１次補正後画像データＤｋ１について説明する。入力画像データのビット数が８ビット（０〜２５５）であるとすると、現画像データＤｉ１が１２７階調の場合、液晶には透過率を５０％とするような電圧Ｖ５０が印加される。同様に、現画像データＤｉ１が１９１階調の場合は、液晶には透過率を７５％とするような電圧Ｖ７５が印加される。図５は、透過率０％の液晶に電圧Ｖ５０及び電圧Ｖ７５をそれぞれ印加した場合の応答特性を応答時間（ｓ）と透過率（％）のグラフで示す図である。図５に示されるように、液晶が印加電圧で指定された所定の透過率に到達するには、１フレーム期間よりも長い応答時間を要することがある。よって、現画像の階調値が変化する場合に、１フレーム期間経過時の透過率が所望の透過率となるような電圧を印加することにより液晶の応答速度を向上させることができる。
【００３０】
図５に示す例では、液晶に電圧Ｖ７５を印加した場合、１フレーム期間経過時の液晶の透過率は５０％となる。よって、目標とする透過率が５０％の場合、液晶の印加電圧をＶ７５とすることにより１フレーム期間内に液晶を所望の透過率とすることができる。つまり、現画像データＤｉ１が０から１２７に変化する場合、当該現画像データＤｉ１を１９１として（すなわち、Ｄｉ１＝１９１）、表示部１１に出力することにより、１フレーム期間内に所望の透過率となるような電圧が液晶に印加される。
【００３１】
図６は、液晶の応答速度の一例を示す図である。図６において、ｘ軸は現画像データＤｉ１の値（現フレームの画像における階調値）、ｙ軸は１フレーム前画像データＤｐ０の値（１フレーム前の画像における階調値）を示し、ｚ軸は液晶が１フレーム前画像データＤｐ０の階調値に対応する透過率から現画像データＤｉ１の階調値に対応する透過率となるまでに要する応答時間（ｍｓ）を示している。ここで、現画像データの階調値が８ビットの場合、現フレームの画像、及び現フレームの１フレーム前の画像における階調値の組み合わせは２５６×２５６通り存在するので、応答速度も２５６×２５６通り存在する。なお、図６においては、階調値の組み合わせに対応する応答速度を８×８通りに簡略化して示している。
【００３２】
図７は、液晶を１フレーム期間経過時に現画像データＤｉ１の値に対応する透過率とする現画像データＤｉ１の補正量を示す図である。図７において、ｘ軸は現画像データＤｉ１の値（現フレームの画像における階調値）、ｙ軸は１フレーム前画像データＤｐ０の値（１フレーム前の画像における階調値）を示し、ｚ軸は現画像データＤｉ１の補正量を示している。現フレームの画像の階調値が８ビットの場合、補正量は、現フレームの画像、及び現フレームの１フレーム前の画像における階調値の組み合わせに対応して２５６×２５６通り存在する。図７では階調値の組み合わせに対応する補正量を８×８通りに簡略化して示している。
【００３３】
図６に示すように、液晶の応答速度は現フレームの画像及び現フレームの１フレーム前の画像における階調値毎に異なる。したがって、補正量を簡単な計算式によって求めることはできない。このため、ＬＵＴ１０１には、図８に示されるように、現画像データＤｉ１に図７に示した現フレームの画像データＤｉ１及び１フレーム前画像データＤｐ０の階調値に対応する２５６×２５６通りの補正量を加算して得られた１次補正後画像データＤｋ１を格納している。液晶の応答特性は液晶の材料、電極形状などによって変化するので、このような各種の使用条件に対応する１次補正後画像データＤｋ１を備えたＬＵＴ１０１を用いることにより、液晶パネルの特性に応じた応答速度の制御を行うことができる。
【００３４】
また、図７に示した補正量は、液晶の応答速度が遅い階調値の組み合わせに対する補正量が大となるよう設定される。例として、中間輝度（グレー）から高輝度（白）に変化する際の応答速度が遅い場合、中間輝度を表す１フレーム前の画像データＤｉ０と、高輝度を表す現画像データＤｉ１に対応する階調数の値を正の方向又は負の方向に大きく設定することにより、応答速度を効果的に向上させることができる。
【００３５】
以下に、ＬＵＴ１０１が、３次補正後画像データＤｊ１よりもビット数の大きい１次補正後画像データＤｋ１によって構成される場合（すなわち、本発明の場合）に生成される３次補正後画像データＤｊ１を、３次補正後画像データＤｊ１´と同じビット数の１次補正後画像データＤｋ１´によって構成される場合（すなわち、比較例の場合）に生成される３次補正後画像データＤｊ１´と対比しながら、説明する。
【００３６】
図９は、１次補正後画像データＤｋ１´と３次補正後画像データＤｊ１´が同じビット数の場合（すなわち、比較例の場合）における、現画像データＤｉ１´と１次補正後画像データＤｋ１´の関係を示すグラフである。図９において、実線９ａは、１フレーム前画像データＤｐ０´の値が階調Ｌ０である場合の、１次補正後画像データＤｋ１´の一例を示している。図９において、破線９ｂは、１次補正後画像データＤｋ１´が現画像データＤｉ１´と等しい場合を示している。図９に示されるように、Ｄｉ１´＞Ｌ０すなわちＤｉ１´＞Ｄｐ０´の場合は、１次補正後画像データＤｋ１´は現画像データＤｉ１´よりも大きくなる。一方、Ｄｉ１´＜Ｌ０すなわちＤｉ１´＜Ｄｐ０´の場合は、１次補正後画像データＤｋ１´は現画像データＤｉ１´よりも小さくなる。ここでは、簡単のために、１次補正後画像データＤｋ１´が、現画像データＤｉ１´の大きさに応じて線形に変化する場合のグラフを示しており、現画像データＤｉ１´が８ビット（０〜２５５）の場合を示している。
【００３７】
図９に示されるように、１次補正後画像データＤｋ１´と３次補正後画像データＤｊ１´が同じビット数である比較例の場合には、１次補正後画像データＤｋ１´は現画像データＤｉ１´の最小値より小さくなり得ないので、現画像データＤｉ１´が階調値Ｌ１以下のときは、全ての１次補正後画像データＤｋ１´が０となる。また、比較例の場合には、１次補正後画像データＤｋ１´は現画像データＤｉ１´の最大値より大きくなり得ないので、現画像データＤｉ１´が階調値Ｌ２以上のときは、全ての１次補正後画像データＤｋ１´が２５５となる。ここで、Ｌ１は、１次補正後画像データＤｋ１´が０となる現画像データＤｉ１´の最大値であり、Ｌ２は、１次補正後画像データＤｋ１´が２５５となる現画像データＤｉ１´の最小値である。
【００３８】
図１０は、１次補正後画像データＤｋ１のビット数が３次補正後画像データＤｊ１のビット数より大きい場合（すなわち、本発明の場合）における、現画像データＤｉ１と１次補正後画像データＤｋ１の関係を示すグラフである。図１０において、実線１０ａは、１フレーム前画像データＤｐ０の値が階調値Ｌ０である場合の、１次補正後画像データＤｋ１の一例を示している。図１０において、破線１０ｂは、１次補正後画像データＤｋ１が現画像データＤｉ１と等しい場合を示している。この場合、１次補正後画像データＤｋ１は、３次補正後画像データＤｊ１の最大値よりも大きい値又は最小値より小さい値をとり得るので、現画像データＤｉ１が階調値Ｌ１以下の場合は１次補正後画像データＤｋ１は０以下の値となり、現画像データＤｉ１が階調値Ｌ２以上の場合は１次補正後画像データＤｋ１は２５５以上の値となる。
【００３９】
図１１は、現画像データＤｉ１´と１次補正後画像データＤｋ１´が図９に示されるような関係にある場合（すなわち、比較例の場合）における、現画像データＤｉ１´と補正量Ｄｌ１´の関係を示すグラフである。現画像データＤｉ１´が階調値Ｌ０より小さく階調値Ｌ１より大きい場合には、現画像データＤｉ１´が小さくなるに従って補正量Ｄｌ１´は小さくなるが、現画像データＤｉ１´が階調値Ｌ１以下の場合には、現画像データＤｉ１´が小さくなるに従って補正量Ｄｌ１´は大きくなり、現画像データＤｉ１´が０の場合には１次補正後画像データＤｋ１´は０となる。また、現画像データＤｉ１´が階調値Ｌ０より大きく階調値Ｌ２より小さい場合には、現画像データＤｉ１´が大きくなるに従って補正量Ｄｌ１´は大きくなるが、現画像データＤｉ１´が階調値Ｌ２以上の場合には、現画像データＤｉ１´が大きくなるに従って補正量Ｄｌ１´は小さくなり、現画像データＤｉ１´が２５５の場合には１次補正後画像データＤｋ１´は０となる。これは、液晶パネルに対して理想的な加速電圧を与えるためには１次補正後画像データＤｋ１´に０以下、又は、２５５以上のデータを設定すべき場合であっても、１次補正後画像データＤｋ１´のビット数と３次補正後画像データＤｊ１´のビット数が等しいので、１次補正後画像データＤｋ１´に０〜２５５の範囲の値しか設定できないためである。
【００４０】
図１２は、現画像データＤｉ１と１次補正後画像データＤｋ１が図１０に示されるような関係にある場合（すなわち、本発明の場合）における、現画像データＤｉ１と補正量Ｄｌ１の関係を示すグラフである。この場合、現画像データＤｉ１が階調値Ｌ０より小さく階調値Ｌ１より大きい場合には、現画像データＤｉ１が小さくなるに従って補正量Ｄｌ１は小さくなり、現画像データＤｉ１が階調値Ｌ１以下の場合においても、現画像データＤｉ１が小さくなるに従って補正量Ｄｌ１は小さくなる。また、現画像データＤｉ１が階調値Ｌ０より大きく階調値Ｌ２より小さい場合には、現画像データＤｉ１が大きくなるに従って補正量Ｄｌ１は大きくなり、現画像データＤｉ１が階調値Ｌ２以上の場合においても、現画像データＤｉ１が大きくなるに従って補正量Ｄｌ１は大きくなる。
【００４１】
図１３は、補正量制御部１０３において、制御信号Ｔｐ１に従って補正量Ｄｌ１´が増加又は減少する様子を示したものであり、１次補正後画像データＤｋ１´と３次補正後画像データＤｊ１´のビット数が同じ場合（すなわち、比較例の場合）の、現画像データＤｉ１´と温度制御後補正量Ｄｍ１´の一例をグラフに示したものである。図１３における実線１３ａは、制御信号Ｔｐ１が基準温度Ｔ０と近傍の温度Ｔ１が等しいことを示している場合の温度制御後補正量Ｄｍ１´であり、この場合は、温度制御後補正量Ｄｍ１´は１次補正後画像データＤｋ１´に等しくなる。図１３における破線１３ｂは、制御信号Ｔｐ１が、基準温度Ｔ０よりも近傍の温度Ｔ１が高いことを示している場合の温度制御後補正量Ｄｍ１´である。また、図１３における破線１３ｃは、制御信号Ｔｐ１が、基準温度Ｔ０よりも近傍の温度Ｔ１が低いことを示している場合の温度制御後補正量Ｄｍ１´を示している。図１３には、
Ｄｍ１´＝α´×Ｄｌ１´
のように、ある係数α´を補正量Ｄｌ１に乗じることによって温度制御後補正量Ｄｍ１´を求めた場合のグラフを示している。なお、図１３における実線１３ａはα´＝１の場合であり、図１３における点線１３ｂはα´＜１の場合であり、図１３における破線１３ｃはα´＞１の場合である。
【００４２】
図１４は、図１３に示される比較例の場合において、温度制御後補正量Ｄｍ１´を現画像データＤｉ１´に加算することによって生成された２次補正後画像データＤｎ１´を示すグラフである。図１４において、実線１４ａは、図１３の実線１３ａの場合の２次補正後画像データＤｎ１´であり、破線１４ｂは、図１３の破線１３ｂの場合の２次補正後画像データＤｎ１´であり、破線１４ｃは、図１３の破線１３ｃの場合の２次補正後画像データＤｎ１´である。
【００４３】
図１５は、図１３及び図１４に示される比較例の場合において、制限部１０５によって、２次補正後画像データＤｎ１´（図１４における１４ａ，１４ｂ，１４ｃ）を、表示部１２に入力されるデータの範囲に制限することによって生成される３次補正後画像データＤｊ１´を示すグラフである。図１５において、実線１５ａは、図１４の実線１４ａの場合の３次補正後画像データＤｊ１´であり、破線１５ｂは、図１４の破線１４ｂの場合の３次補正後画像データＤｊ１´であり、破線１５ｃは、図１４の破線１４ｃの場合の２次補正後画像データＤｊ１´である。３次補正後画像データＤｊ１´が８ビットの場合、図１４に破線１４ｃで示した２次補正後画像データＤｎ１´のうち、Ｄｎ１´＜０、又は、Ｄｎ１´＞２５５となっている範囲の２次補正後画像データの値をそれぞれＤｎ１＝０、又は、Ｄｎ´＝２５５と制限することで、図１５における破線１５ｃのように表示部１２に入力することが可能な３次補正後画像データＤｊ１´を求める。
【００４４】
ここで、図１５における破線１５ｂに着目すると、現画像データＤｉ１´が階調値Ｌ１より小さい場合及び階調値Ｌ２より大きい場合において、当該現画像データＤｉ１´の変化に対する３次補正後画像データＤｊ１´の変化量が小さくなっている。ここに示す例では、１フレーム前の画像データＤｐ０´が一定の場合には、液晶の応答特性が現画像データＤｉ１´に対して線形である場合であるので、係数を乗じることによって得られる３次補正後画像データＤｊ１´も、線形に変化することが理想的であるにもかかわらず、現画像データＤｉ１´が階調値Ｌ１より小さい場合及び階調値Ｌ２より大きい場合において、３次補正後画像データＤｊ１´が不足していることがわかる。
【００４５】
図１６は、比較例における３次補正後画像データＤｊ１´の例を示すグラフである。図１６における破線１６ａは、図１５における破線１５ｂのように現画像データＤｉ１´に対する補正が不足している場合の３次補正後画像データＤｊ１´を示す。図１６における実線１６ｂは、現画像データＤｉ１´に対して十分に補正が行われた場合の３次補正後画像データＤｊ１´を示す。破線１６ａは、実線１６ｂに比べて、斜線でハッチングした領域部分の３次補正後画像データＤｊ１´が不足している。これは、１次補正後画像データＤｋ１´のビット数を３次補正後画像データＤｊ１´と同じビット数としたことによって、液晶パネルに対して理想的な加速電圧を与えるためには１次補正後画像データＤｋ１´に０以下、又は、２５５以上のデータを設定すべき場合であっても、０〜２５５の範囲の値しか設定できないためである。
【００４６】
次に、１次補正後画像データＤｋ１のビット数が３次補正後画像データＤｊ１のビット数より大きい場合（すなわち、本発明の場合）における、補正量制御部１０３及びその後段の構成の動作を説明する。図１７は、補正量制御部１０３において、制御信号Ｔｐ１に従って補正量Ｄｌ１が増加又は減少する様子を示したものであり、現画像データＤｉ１と補正量Ｄｌ１及び温度制御後補正量Ｄｍ１（図３に示す。）の一例をグラフに示したものである。図１７における実線１７ａは、図１２に示した補正量Ｄｌ１である。図１７における破線１７ｂは、制御信号Ｔｐ１が、基準温度Ｔ０よりも近傍の温度Ｔ１が高いことを示している場合の温度制御後補正量Ｄｍ１であり、図１７における破線１７ｃは、制御信号Ｔｐ１が、基準温度Ｔ０よりも近傍の温度Ｔ１が低いことを示している場合の温度制御後補正量Ｄｍ１の一例を示している。ここでは、
Ｄｍ１＝α×Ｄｌ１
のように、温度Ｔ１に応じて選択された係数αを補正量Ｄｌ１に乗じることによって温度制御後補正量Ｄｍ１を求めた場合のグラフを示している。なお、図１７における実線１７ａの場合はα＝１であり、図１７における破線１７ｂの場合はα＜１であり、図１７における破線１７ｃの場合はα＞１である。
【００４７】
図１８は、図１７に示される本発明の場合において、温度制御後補正量Ｄｍ１を現画像データＤｉ１に加算することによって生成される２次補正後画像データＤｎ１を示すグラフである。図１８において、実線１８ａは、図１７の実線１７ａの場合の２次補正後画像データＤｎ１であり、破線１８ｂは、図１７の破線１７ｂの場合の２次補正後画像データＤｎ１であり、破線１８ｃは、図１７の破線１７ｃの場合の２次補正後画像データＤｎ１である。図１８に示されるように、本発明においては、１次補正後画像データＤｎ１のビット数は３次補正後画像データＤｊ１のビット数よりも大きい。
【００４８】
図１９は、図１７及び図１８に示される本発明の場合において、制限部１０５によって、２次補正後画像データＤｎ１（図１８における１８ａ，１８ｂ，１８ｃ）を、表示部１２に入力されるデータの範囲に制限することによって生成される３次補正後画像データＤｊ１を示すグラフである。図１９において、実線１９ａは、図１８の実線１８ａの場合の３次補正後画像データＤｊ１であり、破線１９ｂは、図１８の破線１８ｂの場合の３次補正後画像データＤｊ１であり、破線１９ｃは、図１８の破線１８ｃの場合の２次補正後画像データＤｊ１である。３次補正後画像データＤｊ１が８ビットの場合、図１８に破線１８ｃで示した２次補正後画像データＤｎ１のうち、Ｄｎ１＜０、又は、Ｄｎ１＞２５５となっている範囲の２次補正後画像データの値をそれぞれＤｎ１＝０、又は、Ｄｎ＝２５５と制限することで、図１９における破線１９ｃのように表示部１２に入力することが可能な３次補正後画像データＤｊ１を求める。
【００４９】
図１９において破線１９ｂに示すように、測定された温度検出信号に従って補正量Ｄｌ１を減少させた場合であっても、１次補正後画像データＤｋ１のビット数が３次補正後画像データＤｊ１のビット数より大きいために、１次補正後画像データＤｋ１の値として０より小さな値、又は２５５より大きな値を設定することが可能であるので、制御信号Ｔｐ１によって補正量Ｄｌ１が減少した場合（図１７の破線１７ｂ、図１８の破線１８ｂ、図１９の破線１９ｂ）であっても、３次補正後画像データＤｊ１が不足することがない。このため、実施の形態１の画像処理装置３によれば、表示部１２において、当該３次補正後画像データＤｊ１に基づく電圧を液晶に印加することによって、液晶パネル又はその近傍若しくは周囲の温度に応じて適切に液晶を駆動することができる。
【００５０】
以上説明したように、実施の形態１に係る画像処理装置３は、ＬＵＴ１０１から出力された１次補正後画像データＤｋ１のビット数を、制限部１０５から出力された３次補正後画像データＤｊ１のビット数より多くすることにより、表示部１２が表示可能な輝度の範囲を超えた１次補正後画像データＤｋ１をＬＵＴ１０１に設定することができるので、制御信号Ｔｐ１に従って補正量Ｄｌ１を増加又は減少した場合であっても、３次補正後画像データＤｊ１が不足することはなく、液晶パネル又はその近傍若しくは周囲の温度に応じて適切に液晶を駆動することができる。
【００５１】
実施の形態２．
上記実施の形態１においては、画像データ補正部１０において、ＬＵＴ１０１には、液晶パネル又はその近傍若しくは周囲の温度Ｔ１が基準温度データＴ０と等しい場合において液晶が１フレーム期間内に現画像データＤｉ１により指定される所定の透過率となるような１次補正画像データＤｋ１が設定されているが、実施の形態２においては、ＬＵＴに、１次補正後画像データＤｋ１から現画像データＤｉ１を減算することで得られる補正量Ｄｌ１を設定している。
【００５２】
図２０は、実施の形態２に係る画像処理装置の画像データ補正部１０ａの構成を示すブロック図である。図２０において、図３に示される構成と同一又は対応するものには、同じ符号を付す。実施の形態２に係る画像処理装置は、図１に示される画像処理装置３の画像データ補正部１０を、図２０に示される画像データ補正部１０ａに置き換えたものに相当する。図２０に示される画像データ補正部１０ａのＬＵＴ１１１は、現画像データＤｉ１と１フレーム前画像データＤｐ０を入力とし、補正量Ｄｌ１を出力する。出力された補正量Ｄｌ１は、補正量制御部１０３に入力される。実施の形態２に係る画像処理装置においても、実施の形態１に係る画像処理装置と同様に、液晶の温度特性に応じた適切な温度制御後補正量Ｄｍ１を得ることができる。
【００５３】
なお、実施の形態２において、上記以外の点は、上記実施の形態１の場合と同じである。
【００５４】
実施の形態３．
上記実施の形態１においては、図３に示されるように、補正量制御部１０３は、液晶パネル又はその近傍若しくは周囲の温度Ｔ１に応じて選択された係数αを補正量Ｄｌ１に乗じることによって、制御信号Ｔｐ１に基づく補正後の補正量（「温度制御後補正量」とも言う。）Ｄｍ１を求めているが、実施の形態３においては、複数の係数α１及びα２を用いて温度制御後補正量Ｄｍ１を求めている。実施の形態３においては、現画像データＤｉ１と１フレーム前画像データＤｐ０の大小関係に応じて、制御信号Ｔｐ１に基づく補正量Ｄｌ１の補正に用いる係数を選択するように構成している。例えば、現画像データＤｉ１が１フレーム前画像データＤｐ０より大きい（すなわち、Ｄｉ１＞Ｄｐ０）場合には、補正量Ｄｌ１に係数α１を乗じることによって温度制御後補正量Ｄｍ１を求め、現画像データＤｉ１が１フレーム前画像データＤｐ０より小さい（すなわち、Ｄｉ１＜Ｄｐ０）場合には、補正量Ｄｌ１に係数α１と異なる係数α２を乗じることによって温度制御後補正量Ｄｍ１を求める。このように、複数の係数を用いて温度制御を行うことにより、液晶の温度特性に応じた適切な温度制御後補正量Ｄｍ１を得ることができる。
【００５５】
なお、実施の形態３において、上記以外の点は、上記実施の形態１又は２の場合と同じである。
【図面の簡単な説明】
【００５６】
【図１】本発明の実施の形態１乃至３に係る画像処理装置を備えた、画像表示装置の構成を示すブロック図である。
【図２】（ａ）〜（ｃ）は、液晶の応答特性を示す図であり、（ａ）は現画像データの輝度値の時間変化を示し、（ｂ）は３次補正後画像データの輝度値（液晶への印加電圧に対応する値）の時間変化を示し、（ｃ）は（ｂ）の３次補正後画像データに基づく電圧を印加して得られる液晶パネルの表示輝度の時間変化を示す。
【図３】実施の形態１に係る画像処理装置の画像データ補正部の構成を示すブロック図である。
【図４】図３に示されるＬＵＴの構成を模式的に示す図である。
【図５】液晶の透過率の時間的変化の一例を示す図である。
【図６】液晶の応答速度の一例を示す図である。
【図７】現画像データに対する補正量の一例を示す図である。
【図８】本発明の実施の形態１に係るＬＵＴに格納される１次補正後画像データの一例を示す図である。
【図９】比較例における、現画像データと１次補正後画像データの関係を示す図である。
【図１０】本発明の実施の形態１における、現画像データと１次補正後画像データの関係を示す図である。
【図１１】比較例における、現画像データと補正量の関係を示す図である。
【図１２】本発明の実施の形態１における、現画像データと補正量の関係を示す図である。
【図１３】比較例における、現画像データと温度補正後の補正量の関係を示す図である。
【図１４】比較例における、現画像データと２次補正後画像データの関係を示す図である。
【図１５】比較例における、現画像データと３次補正後画像データの関係を示す図である。
【図１６】比較例において、３次補正後画像データが不足する様子を示す図である。
【図１７】本発明の実施の形態１における、現画像データと温度補正後の補正量の関係を示す図である。
【図１８】本発明の実施の形態１における、現画像データと２次補正後画像データの関係を示す図である。
【図１９】本発明の実施の形態１における、現画像データと３次補正後画像データの関係を示す図である。
【図２０】本発明の実施の形態２に係る画像処理装置の画像データ補正部の構成を示すブロック図である。
【符号の説明】
【００５７】
１  入力端子、  ２  受信部、  ３  画像処理部、  ４  符号化部、  ５  遅延部、  ６  第１の復号化部、  ７  第２の復号化部、  ８  変化量算出部、  ９  １フレーム前画像算出部、  １０，１０ａ  画像データ補正部、  １１  制御信号生成部、  １２  表示部、  １３  温度検出部、  １４  １フレーム前画像データ出力部、  １０１，１１１  ルックアップテーブル（ＬＵＴ）、  １０２  減算部、  １０３  補正量制御部、  １０４  加算部、  １０５  制限部、  Ｄｉ１  現画像データ、  Ｄｋ１  １次補正後画像データ、  Ｄｌ１  現画像データに１次補正後画像データを加算したデータ、  Ｄｍ１  現画像データに１次補正後画像データを加算したデータを制御信号Ｔｐ１に基づいて補正したデータ、  Ｄｎ１  ２次補正後画像データ、  Ｄｊ１  ３次補正後画像データ、  Ｄｖ１  変化量算出部により出力される階調値の変化量、  Ｄｐ０  １フレーム前画像データ、  Ｔｐ１  制御信号。
【図１】
2007139936.tif 000003
【図２】
2007139936.tif 000004
【図３】
2007139936.tif 000005
【図４】
2007139936.tif 000006
【図５】
2007139936.tif 000007
【図６】
2007139936.tif 000008
【図７】
2007139936.tif 000009
【図８】
2007139936.tif 000010
【図９】
2007139936.tif 000011
【図１０】
2007139936.tif 000012
【図１１】
2007139936.tif 000013
【図１２】
2007139936.tif 000014
【図１３】
2007139936.tif 000015
【図１４】
2007139936.tif 000016
【図１５】
2007139936.tif 000017
【図１６】
2007139936.tif 000018
【図１７】
2007139936.tif 000019
【図１８】
2007139936.tif 000020
【図１９】
2007139936.tif 000021
【図２０】
2007139936.tif 000022